(57)【要約】【課題】  複数人の利用者が席を移動するような宴会等の場合においても、各利用者に対してその利用者の嗜好にあった料理を確実に配膳することができる配膳支援方法、その方法を実施するための配膳支援システム、及びその配膳支援システムに用いられる配膳支援装置の提供。【解決手段】    配膳支援装置１を備え、当該配膳支援装置１を用いて、複数の座席を備える飲食店での利用者に対する配膳を支援する配膳支援システムであって、座席毎に設けられ、当該座席を利用する利用者によって飲食の際に利用される箸等の携行物を識別するための携行物識別情報を記憶する手段と、料理の注文があった場合に、当該注文に係る利用者が利用する座席に係る前記携行物識別情報と、当該注文に係る料理を識別する料理識別情報とを対応付けた対応情報を記憶する手段と、前記注文に係る料理が完成した場合に、記憶されている前記対応情報を出力する表示部３１とを備える。【選択図】  図１
2006235798.tif 000002
【特許請求の範囲】
【請求項１】
コンピュータを用いて、複数の座席を備える飲食店での利用者に対する配膳を支援する配膳支援方法であって、
座席毎に設けられ、当該座席を利用する利用者によって飲食の際に利用される携行物を識別するための携行物識別情報を記憶するステップと、
料理の注文があった場合に、当該注文に係る利用者が利用する座席に係る前記携行物識別情報と、当該注文に係る料理を識別する料理識別情報とを対応付けた対応情報を記憶するステップと、
前記注文に係る料理が完成した場合に、記憶されている前記対応情報を出力するステップと
を有することを特徴とする配膳支援方法。
【請求項２】
各利用者の料理についての嗜好に関する嗜好情報を記憶するステップと、
前記注文に係る利用者の嗜好情報を検索するステップとを更に有し、
前記対応情報を出力するステップは、当該検索された嗜好情報にしたがって調理された結果、前記注文に係る料理が完成した場合に実行される、請求項１に記載の配膳支援方法。
【請求項３】
前記携行物は、箸、フォーク、スプーン、ナイフ、コップ及びコースターのうちの少なくとも一つである、請求項１又は請求項２に記載の配膳支援方法。
【請求項４】
コンピュータを備え、当該コンピュータを用いて、複数の座席を備える飲食店での利用者に対する配膳を支援する配膳支援システムであって、
座席毎に設けられ、当該座席を利用する利用者によって飲食の際に利用される携行物を識別するための携行物識別情報を記憶する手段と、
料理の注文があった場合に、当該注文に係る利用者が利用する座席に係る前記携行物識別情報と、当該注文に係る料理を識別する料理識別情報とを対応付けた対応情報を記憶する手段と、
前記注文に係る料理が完成した場合に、記憶されている前記対応情報を出力する出力手段と
を備えることを特徴とする配膳支援システム。
【請求項５】
各利用者の料理についての嗜好に関する嗜好情報を記憶する嗜好情報記憶手段と、
前記注文に係る利用者の嗜好情報を、前記嗜好情報記憶手段によって記憶されている嗜好情報から検索する手段とを更に備え、
前記出力手段は、前記検索された嗜好情報にしたがって調理された結果、前記注文に係る料理が完成した場合に、前記対応情報を出力するように構成されている、請求項４に記載の配膳支援システム。
【請求項６】
前記出力手段は、前記対応情報を、前記注文に係る料理が盛られる皿に設けられたＩＣに書き込むように構成されている、請求項４又は請求項５に記載の配膳支援システム。
【請求項７】
前記ＩＣに書き込まれた前記対応情報を読み出すためのＩＣリーダと、当該ＩＣリーダによって読み出された前記対応情報を表示する表示手段とを有するトレイを更に備える、請求項４乃至請求項６の何れかに記載の配膳支援システム。
【請求項８】
前記出力手段は、前記対応情報を、表示画面上に表示するように構成されている、請求項４又は請求項５に記載の配膳支援システム。
【請求項９】
前記出力手段は、前記対応情報を、紙媒体に出力するように構成されている、請求項４又は請求項５に記載の配膳支援システム。
【請求項１０】
前記携行物は、箸、フォーク、スプーン、ナイフ、コップ及びコースターのうちの少なくとも一つである、請求項４乃至請求項９の何れかに記載の配膳支援システム。
【請求項１１】
複数の座席を備える飲食店での利用者に対する配膳を支援するための配膳支援装置であって、
座席毎に設けられ、当該座席を利用する利用者によって飲食の際に利用される携行物を識別するための携行物識別情報を記憶する手段と、
料理の注文があった場合に、当該注文に係る利用者が利用する座席に係る前記携行物識別情報と、当該注文に係る料理を識別する料理識別情報とを対応付けた対応情報を記憶する手段と、
前記注文に係る料理が完成した場合に、記憶されている前記対応情報を出力するための出力手段に対して、当該対応情報を送信する送信手段と
を備えることを特徴とする配膳支援装置。
【請求項１２】
各利用者の料理についての嗜好に関する嗜好情報を記憶する嗜好情報記憶手段と、
前記注文に係る利用者の嗜好情報を、前記嗜好情報記憶手段によって記憶されている嗜好情報から検索する手段とを更に備え、
前記送信手段は、前記検索された嗜好情報にしたがって調理された結果、前記注文に係る料理が完成した場合に、前記対応情報を前記出力手段に対して送信するように構成されている、請求項１１に記載の配膳支援システム。
【請求項１３】
前記携行物は、箸、フォーク、スプーン、ナイフ、コップ及びコースターのうちの少なくとも一つである、請求項１１又は請求項１１に記載の配膳支援装置。
【発明の詳細な説明】
【技術分野】
【０００１】
本発明は、飲食店における利用者に対する配膳を支援するための配膳支援方法に関し、特に複数人の利用者が席を移動するような宴会等の場合において、各利用者に対してその利用者の嗜好にあった料理を確実に配膳することができる配膳支援方法、その方法を実施するための配膳支援システム、及びその配膳支援システムに用いられる配膳支援装置に関する。
【背景技術】
【０００２】
近年では、飲食店においても種々の情報技術が導入されており、利用者からの注文の管理及び配膳作業等を支援するためのコンピュータシステムが提案されている。
【０００３】
例えば、特許文献１，２，３においては、利用者が端末装置を用いて所望の調理方法及び所望の店舗等の注文情報をサーバに予め送信しておき、サーバ側にて当該注文情報を管理し利用することができる注文管理システムが開示されている。このような注文管理システムによれば、飲食店側において注文情報を参照し、これに基づいて調理することによって、各利用者の嗜好にあった料理を作ることが可能となる。
【０００４】
また、特許文献４においては、レストランにおける配膳ミスを防ぐために、注文されたメニューのメニューナンバーと客席のテーブルナンバーとを含むオーダー情報と、調理済みのメニューが盛りつけられた食器に付されたＩＤ情報とに基づいて、注文した客に対して注文した料理を確実に配膳することができる配膳支援システムが開示されている。
【０００５】
さらに、特許文献５においては、同じく配膳ミスを防ぐために、厨房において調理が終了したときに料理名及びテーブル番号が記入された配膳票が厨房用コントローラにより発行される配膳支援システムが提案されている。給仕係は、この配膳票に基づいて配膳を行うことによって、注文した客に対して注文した料理を配膳することができる。
【０００６】
これらの配膳支援システムによれば、注文された料理とテーブルとを対応付けて管理することによって、配膳ミスを防止することができる。
【特許文献１】特開２００２−１９７１６２号公報
【特許文献２】特開２００３−１２２８５４号公報
【特許文献３】特開２００３−１８９３４３号公報
【特許文献４】特開２００４−２８７６９０号公報
【特許文献５】特開２００２−１５０４５号公報
【発明の開示】
【発明が解決しようとする課題】
【０００７】
ところで、前述したような従来の注文管理システムを用いることによって、各利用者の嗜好にあった料理を作ることができたとしても、その料理を間違えることなく各利用者に配膳することができなければならない。そして、そのためには、各利用者と料理との対応を給仕係が把握しておく必要があり、非常に困難な作業を伴うことになる。
【０００８】
そこで、前述した従来の注文管理システムと従来の配膳支援システムとを組み合わせることによって、各利用者の嗜好にあった料理をその利用者に確実に配膳することができるようなシステムを実現することが考えられる。
【０００９】
しかしながら、前述したように、従来の配膳支援システムの場合、注文された料理とテーブルとを対応付けているため、当該テーブルに複数の利用者が着席しているようなときであれば、給仕係は、それら複数の利用者に対してその料理を誰が注文したのかを確認しなければならない。そのため、例えば一つのテーブルに相当数の利用者が着席している等の状況においては、スムースに配膳を行うことができないという問題が生じ得る。
【００１０】
また、各テーブルには一人または少数の利用者しか着席しないような場合であっても、利用者の着席場所が変化するような宴会においては、各利用者の嗜好にあった料理をその利用者に正確に配膳することは極めて困難である。
【００１１】
本発明は斯かる事情に鑑みてなされたものであり、その目的は、複数人の利用者が席を移動するような宴会等の場合においても、各利用者に対してその利用者の嗜好にあった料理を確実に配膳することができる配膳支援方法、その方法を実施するための配膳支援システム、及びその配膳支援システムに用いられる配膳支援装置を提供することにある。
【課題を解決するための手段】
【００１２】
前述した課題を解決するために、本発明に係る配膳支援方法は、コンピュータを用いて、複数の座席を備える飲食店での利用者に対する配膳を支援する配膳支援方法であって、座席毎に設けられ、当該座席を利用する利用者によって飲食の際に利用される携行物を識別するための携行物識別情報を記憶するステップと、料理の注文があった場合に、当該注文に係る利用者が利用する座席に係る前記携行物識別情報と、当該注文に係る料理を識別する料理識別情報とを対応付けた対応情報を記憶するステップと、前記注文に係る料理が完成した場合に、記憶されている前記対応情報を出力するステップとを有することを特徴とする。
【００１３】
このように対応情報を出力することにより、給仕係は、携行物識別情報と、それに対応付けられた料理識別情報とを確認することができる。その結果、例えば飲食店の各利用者が飲食の際に座席を移動した場合であっても、給仕係は、箸等の携行物に着目して配膳を行うことができるので、配膳ミスを防止することができる。
【００１４】
なお、このように箸等の携行物に利用するのではなく、例えば利用者の顔をデジタルカメラ等によって撮像し、その結果得られた画像に基づいて配膳をするという方法も考えられる。しかし、この方法では、給仕係が配膳をする際に利用者の顔を確認しなければならず、しかも観察する角度によっては識別するのが困難な場合も生じ得る。また、肖像権の侵害になる等の問題も生じ得るため、望ましい方法ではない。
【００１５】
また、利用者の属性（性別、年齢、体格、服装、眼鏡の有無等）に基づいて配膳をするという方法も考えられる。しかし、その属性を短時間に把握することは困難な場合が多いと考えられる。その上、その属性が似ている利用者が複数存在する場合では配膳ミスを防止することは極めて困難である。
【００１６】
これに対して、本発明のように、利用者によって飲食の際に利用される箸等の携行物の場合、確実に識別することができるため、配膳ミスを防止することができる。
【００１７】
前記発明に係る配膳支援方法において、各利用者の料理についての嗜好に関する嗜好情報を記憶するステップと、前記注文に係る利用者の嗜好情報を検索するステップとを更に有し、前記対応情報を出力するステップは、当該検索された嗜好情報にしたがって調理された結果、前記注文に係る料理が完成した場合に実行されることが好ましい。
【００１８】
このように構成することにより、利用者の嗜好にあった料理を当該利用者に確実に配膳することができる。
【００１９】
また、前記発明に係る配膳支援方法において、前記携行物は、箸、フォーク、スプーン、ナイフ、コップ及びコースターのうちの少なくとも一つであってもよい。
【００２０】
また、本発明に係る配膳支援システムは、コンピュータを備え、当該コンピュータを用いて、複数の座席を備える飲食店での利用者に対する配膳を支援する配膳支援システムであって、座席毎に設けられ、当該座席を利用する利用者によって飲食の際に利用される携行物を識別するための携行物識別情報を記憶する手段と、料理の注文があった場合に、当該注文に係る利用者が利用する座席に係る前記携行物識別情報と、当該注文に係る料理を識別する料理識別情報とを対応付けた対応情報を記憶する手段と、前記注文に係る料理が完成した場合に、記憶されている前記対応情報を出力する出力手段とを備えることを特徴とする。
【００２１】
前記発明に係る配膳支援システムにおいて、各利用者の料理についての嗜好に関する嗜好情報を記憶する嗜好情報記憶手段と、前記注文に係る利用者の嗜好情報を、前記嗜好情報記憶手段によって記憶されている嗜好情報から検索する手段とを更に備え、前記出力手段は、前記検索された嗜好情報にしたがって調理された結果、前記注文に係る料理が完成した場合に、前記対応情報を出力するように構成されていてもよい。
【００２２】
また、前記発明に係る配膳支援システムにおいて、前記出力手段は、前記対応情報を、前記注文に係る料理が盛られる皿に設けられたＩＣに書き込むように構成されていてもよい。
【００２３】
また、前記発明に係る配膳支援システムにおいて、前記ＩＣに書き込まれた前記対応情報を読み出すためのＩＣリーダと、当該ＩＣリーダによって読み出された前記対応情報を表示する表示手段とを有するトレイを更に備えていてもよい。
【００２４】
また、前記発明に係る配膳支援システムにおいて、前記出力手段は、前記対応情報を、表示画面上に表示するように構成されていてもよく、紙媒体に出力するように構成されていてもよい。
【００２５】
さらに、前記発明に係る配膳支援システムにおいて、前記携行物は、箸、フォーク、スプーン、ナイフ、コップ及びコースターのうちの少なくとも一つであってもよい。
【００２６】
また、本発明に係る配膳支援装置は、複数の座席を備える飲食店での利用者に対する配膳を支援するための配膳支援装置であって、座席毎に設けられ、当該座席を利用する利用者によって飲食の際に利用される携行物を識別するための携行物識別情報を記憶する手段と、料理の注文があった場合に、当該注文に係る利用者が利用する座席に係る前記携行物識別情報と、当該注文に係る料理を識別する料理識別情報とを対応付けた対応情報を記憶する手段と、前記注文に係る料理が完成した場合に、記憶されている前記対応情報を出力するための出力手段に対して、当該対応情報を送信する送信手段とを備えることを特徴とする。
【００２７】
前記配膳支援装置において、各利用者の料理についての嗜好に関する嗜好情報を記憶する嗜好情報記憶手段と、前記注文に係る利用者の嗜好情報を、前記嗜好情報記憶手段によって記憶されている嗜好情報から検索する手段とを更に備え、前記送信手段は、前記検索された嗜好情報にしたがって調理された結果、前記注文に係る料理が完成した場合に、前記対応情報を前記出力手段に対して送信するように構成されていてもよい。
【００２８】
また、前記発明に係る配膳支援装置において、前記携行物は、箸、フォーク、スプーン、ナイフ、コップ及びコースターのうちの少なくとも一つであってもよい。
【発明の効果】
【００２９】
本発明の配膳支援方法、その方法を実施するための配膳支援システム、及びその配膳支援システムに用いられる配膳支援装置は、飲食店において、各利用者に対しその利用者の嗜好にあった料理を確実に配膳することができる。
【発明を実施するための最良の形態】
【００３０】
以下、本発明の実施の形態について図面を参照しながら詳述する。
【００３１】
図１は、本発明の配膳支援システムの構成を示すブロック図である。図１において、符号１は、飲食店において利用者に対して配膳を行う場合に用いられるサーバである配膳支援装置を示している。本発明の配膳支援システムは、当該配膳支援装置１と、後述する調理台装置２及びトレイ３とを備えて構成されている。
【００３２】
配膳支援装置１は、飲食店の予約に関する情報を利用者から受け付けるための予約受付サーバ５と通信可能に接続されている。また、この予約受付サーバ５は、利用者によって操作されるパーソナルコンピュータ及び携帯型電話機等のクライアント６と、インターネット等の通信ネットワーク１００を介して通信可能に接続されている。ここで、予約受付サーバ５とクライアント６との間の通信はＨＴＴＰ（HyperTextTransferProtocol）等の通信プロトコルを用いて行われる。
【００３３】
調理台装置２は、後述するように料理を盛りつけるための料理皿４の裏面に設けられたＩＣ４１に対して各種の情報を書き込むことができるＩＣライタを備えている。また、調理台装置２は、配膳支援装置１と通信可能に接続されており、当該配膳支援装置１から送信された情報をＩＣ４１に書き込むように構成されている。この調理台装置２は、飲食店内の調理場に設置されている。
【００３４】
また、調理台装置２には、皿４を載置するための載置台２１が複数設けられている。これらの載置台２１のそれぞれには、当該載置台２１を識別するための載置台ＩＤ（図１におけるＩ，II，III，IV）が予め割り当てられている。
【００３５】
トレイ３は、液晶ディスプレイ等で構成される表示部３１と、料理皿４を載置するための複数の載置台３２，３２…と、各載置台３２に料理皿４が載置された場合に、当該料理皿４に設けられたＩＣ４１から各種の情報を読み出すためのＩＣリーダ（図示せず）とを備えている。ＩＣリーダによって読み出された情報は、載置台３２別に表示部３１に表示されるように構成されている。
【００３６】
図２は、本発明の配膳支援システムが備える配膳支援装置１の構成を示すブロック図である。図２に示すように、配膳支援装置１はＣＰＵ１１を備えており、ＣＰＵ１１はバスを介して後述する各ハードウェアと接続されている。そして、ＣＰＵ１１は、それらのハードウェアの動作を制御するとともに、メモリ１２にロードされるコンピュータプログラムを実行する。これにより、配膳支援装置１は、後述する処理を実行することが可能となる。
【００３７】
メモリ１２は、例えばＤＲＡＭ又はＳＲＡＭ等で構成され、コンピュータプログラムの実行時において発生する一時的なデータ等を記憶する。
【００３８】
ハードディスク１３は、読み書き可能な磁気ディスク等で構成され、配膳支援装置１の動作に必要なコンピュータプログラム及びＯＳ（オペレーティングシステム）、並びに各種のデータなどを記憶している。また、このハードディスク１３には、後述する複数のデータベース（ＤＢ）が設けられている。
【００３９】
入力部１４は、キーボード及び後述するタッチパネル等で構成され、操作者が各種の情報を配膳支援装置１に対して入力する場合に用いられる。
【００４０】
表示部１５は、ＣＲＴ又は液晶ディスプレイ等で構成され、ＣＰＵ１１による処理結果等を表示する。
【００４１】
第１通信インタフェース１６は、予約受付サーバ５と通信するためのインタフェースである。また、第２通信インタフェース１７は、調理台装置２と通信するためのインタフェースである。
【００４２】
図３は、本発明の配膳支援システムが備える調理台装置２の構成を示すブロック図である。図３に示すように、調理台装置２はＣＰＵ２１を備えており、ＣＰＵ２１はバスを介して後述する各ハードウェアと接続されている。そして、ＣＰＵ２１は、それらのハードウェアの動作を制御するとともに、メモリ２２にロードされるコンピュータプログラムを実行する。これにより、調理台装置２は、後述する処理を実行することが可能となる。
【００４３】
メモリ２２は、前述したメモリ１２と同様に構成され、コンピュータプログラムの実行時において発生する一時的なデータ等を記憶する。
【００４４】
ハードディスク２３は、前述したハードディスク１３と同様に構成され、調理台装置２の動作に必要なコンピュータプログラム及び各種のデータなどを記憶している。また、このハードディスク２３には、後述する皿別調理方法情報を記憶する皿別調理方法情報ＤＢ２３Ａが設けられている。
【００４５】
通信インタフェース２４は、配膳支援装置１と通信するためのインタフェースである。
【００４６】
ＩＣライタ２５は、前述したように、料理皿４の裏面に設けられたＩＣ４１に対して各種の情報を書き込むことができるように構成されている。
【００４７】
次に、配膳支援装置１が備えるハードディスク１３に設けられている各種のＤＢ、及び調理台装置２が備えるハードディスク２３に設けられている皿別調理方法情報ＤＢ２３Ａの詳細について説明する。
【００４８】
［利用者情報ＤＢ］
利用者情報ＤＢ１３Ａは、飲食店の利用者の嗜好等に関する情報を含む利用者情報を記憶する。この利用者情報は、クライアント６から送信されたデータ及び入力部１４によって入力されたデータ等に基づいて生成される。
【００４９】
図４は、利用者情報ＤＢ１３Ａに記憶される利用者情報のフォーマットの一例を示す概念図である。図４に示すように、利用者情報は、利用者ＩＤフィールド１３０、名前フィールド１３１、性別フィールド１３２、年齢フィールド１３３、嗜好フィールド１３４、及び調理方法フィールド１３５等の各フィールドを有している。以下、これらの各フィールドに格納される情報について説明する。
【００５０】
利用者ＩＤフィールド１３０には、利用者を識別するための所定の利用者ＩＤが、名前フィールド１３１には当該利用者の名前が、性別フィールド１３２には同じく性別が、年齢フィールド１３３には同じく年齢がそれぞれ格納されている。また、嗜好フィールド１３４には利用者の調理に関する嗜好に関する情報が、調理方法フィールド１３５には利用者の所望の調理方法に関する情報がそれぞれ格納されている。ここで、この調理方法に関する情報には、利用者の健康状態等に応じて好ましいと考えられる調理に関する情報が含まれる。すなわち、例えば「塩分控えめ」等の情報が当該調理方法に関する情報に含まれる。
【００５１】
これらの嗜好フィールド１３４及び調理方法フィールド１３５に格納されている情報は、利用者の料理についての嗜好に関する情報である。そのため、本明細書においては、当該情報を嗜好情報と称する。
【００５２】
［座席別配膳情報ＤＢ］
座席別配膳情報ＤＢ１３Ｂは、飲食店に設けられている複数の座席を識別するための情報を含む座席別配膳情報を記憶する。この座席別配膳情報は、利用者が入店する前に飲食店側で設定され、配膳支援装置１に入力される。
【００５３】
図５は、座席別配膳情報ＤＢ１３Ｂに記憶される座席別配膳情報のフォーマットの一例を示す概念図である。図５に示すように、座席別配膳情報は、テーブルＩＤフィールド１４０、座席ＩＤフィールド１４１、及び箸ＩＤフィールド１４２等の各フィールドを有している。
【００５４】
テーブルＩＤフィールド１４０には飲食店に設けられたテーブルを識別するためのテーブルＩＤが、座席ＩＤフィールド１４１には当該テーブルに対して設けられた複数の座席のうち特定の座席を識別するための座席ＩＤがそれぞれ格納されている。また、箸ＩＤフィールド１４２には、利用者が利用する箸を識別するための箸ＩＤ（例えば、各箸に割り当てられた記号、箸の色、箸の形状等）が格納されている。ここで、箸は、飲食店の利用者が飲食の際に利用するものであって、且つ例えば宴会等のように飲食中に座席を移動するようなことがある場合に利用者に携行される携行物の一例である。このような意味での携行物としては、箸の他にも、フォーク、スプーン、ナイフ、コップ及びコースター等が挙げられる。
【００５５】
［利用者座席情報ＤＢ］
利用者座席情報ＤＢ１３Ｃは、利用者が利用する座席に関する情報を含む利用者座席情報を記憶する。この利用者座席情報は、利用者の一人である宴会の幹事等によって後述するようにして設定され、配膳支援装置１に入力される。
【００５６】
図６は、利用者座席情報ＤＢ１３Ｃに記憶される利用者座席情報のフォーマットの一例を示す概念図である。図６に示すように、利用者座席情報は、利用者ＩＤフィールド１５０、テーブルＩＤフィールド１５１、及び座席ＩＤフィールド１５２等の各フィールドを有している。
【００５７】
利用者ＩＤフィールド１５０には利用者情報における利用者ＩＤと同様のものが、テーブルＩＤフィールド１５１には座席別配膳情報におけるテーブルＩＤと同様のものが、座席ＩＤフィールド１５２には同じく座席ＩＤと同様のものがそれぞれ格納されている。
【００５８】
［利用者別識別情報ＤＢ］
利用者別識別情報ＤＢ１３Ｄは、利用者と箸とを対応付けるための利用者別識別情報を記憶する。この利用者別識別情報は、後述するようにして配膳支援装置１によって生成される。
【００５９】
図７は、利用者別識別情報ＤＢ１３Ｄに記憶される利用者別識別情報のフォーマットの一例を示す概念図である。図７に示すように、利用者別識別情報は、テーブルＩＤフィールド１６０、箸ＩＤフィールド１６１、及び利用者ＩＤフィールド１６２等の各フィールドを有している。
【００６０】
テーブルＩＤフィールド１６０には座席別配膳情報におけるテーブルＩＤと同様のものが、箸ＩＤフィールド１６１には同じく箸ＩＤと同様のものが、利用者ＩＤフィールド１６２には利用者情報における利用者ＩＤと同様のものがそれぞれ格納されている。
【００６１】
［注文情報ＤＢ］
注文情報ＤＢ１３Ｅは、利用者による料理の注文に係る情報を含む注文情報を記憶する。この注文情報は、利用者から注文を受けた際に給仕係によって設定され、配膳支援装置１に対して入力される。
【００６２】
図８は、注文情報ＤＢ１３Ｅに記憶される注文情報のフォーマットの一例を示す概念図である。図８に示すように、注文情報は、テーブルＩＤフィールド１７０、箸ＩＤフィールド１７１、料理ＩＤフィールド１７２、及び待ち番号フィールド１７３等の各フィールドを有している。
【００６３】
テーブルＩＤフィールド１７０には座席別配膳情報におけるテーブルＩＤと同様のものが、箸ＩＤフィールド１７１には同じく箸ＩＤと同様のものがそれぞれ格納されている。また、料理ＩＤフィールド１７２には利用者の注文に係る料理を識別するための料理ＩＤが、待ち番号フィールド１７３には当該注文に係る料理の待ち番号がそれぞれ格納されている。ここで、待ち番号は、注文に係る料理の調理を行う順番を決定するために用いられる情報である。
【００６４】
［調理方法情報ＤＢ］
調理方法情報ＤＢ１３Ｆは、利用者の注文に係る料理の調理方法に関する情報を含む調理方法情報を記憶する。この調理方法情報は、後述するように、配膳支援装置１によって生成され、調理台装置２へ送信される。
【００６５】
図９は、調理方法情報ＤＢ１３Ｆに記憶される調理方法情報のフォーマットの一例を示す概念図である。図９に示すように、調理方法情報は、テーブルＩＤフィールド１８０、箸ＩＤフィールド１８１、料理ＩＤフィールド１８２、嗜好フィールド１８３、調理方法フィールド１８４、及び待ち番号フィールド１８５等の各フィールドを有している。
【００６６】
テーブルＩＤフィールド１８０には座席別配膳情報におけるテーブルＩＤと同様のものが、箸ＩＤフィールド１８１には同じく箸ＩＤと同様のものが、料理ＩＤフィールド１８２には注文情報における料理ＩＤと同様のものがそれぞれ格納されている。また、嗜好フィールド１８３には利用者情報における嗜好に関する情報と同様のものが、調理方法フィールド１８４には同じく調理方法に関する情報と同様のものが、待ち番号フィールド１８５には注文情報における待ち番号と同様のものがそれぞれ格納されている。
【００６７】
［皿別調理方法情報ＤＢ］
皿別調理方法情報ＤＢ２３Ａは、後述するようにして調理台装置２によって生成される皿別調理方法情報を記憶する。
【００６８】
図１０は、皿別調理方法情報ＤＢ２３Ａに記憶される皿別調理方法情報のフォーマットの一例を示す概念図である。図１０に示すように、皿別調理方法情報は、テーブルＩＤフィールド１９０、箸ＩＤフィールド１９１、料理名称フィールド１９２、嗜好フィールド１９３、及び調理方法フィールド１９４等の各フィールドを有している。
【００６９】
テーブルＩＤフィールド１９０には座席別配膳情報におけるテーブルＩＤと同様のものが、箸ＩＤフィールド１９１には同じく箸ＩＤと同様のものがそれぞれ格納されている。また、料理名称フィールド１９２には注文情報における料理ＩＤによって特定される料理の名称が格納されている。さらに、嗜好フィールド１９３には利用者情報における嗜好に関する情報と同様のものが、調理方法フィールド１９４には同じく調理方法に関する情報と同様のものがそれぞれ格納されている。
【００７０】
次に、以上のように構成された本実施の形態の配膳支援システムの動作について、図１６から図２０に示すフローチャートを参照しながら説明する。この際、適宜表示画面の一例（図１１から図１５）を参照する。
【００７１】
なお、以下に説明する配膳支援システムの動作に先立って、予約受付サーバ５は、複数の利用者による宴会の予約をクライアント６から受け付けているものとする。この場合、予約受付サーバ５は、宴会の出席者である各利用者に対して電子メールにより宴会開催の通知を送信し、その通知に対して各利用者から宴会の出欠についての情報を受け付ける。また、宴会の直前には、幹事等によって出席が確定した出席者の名前及び人数等に関する出席者確定情報を予約受付サーバ５は受け付けており、当該予約受付サーバ５は、この出席者確定情報を配膳支援装置１へ送信している。この場合、飲食店側の担当者は、配膳支援装置１の表示部１５に出席者確定情報を表示させることによって、何人の利用者が出席するのかを確認することができる。そして、その担当者は、その確認した結果に応じて、テーブル及び座席を確保するとともに、人数分の箸（これらの箸はそれぞれ色が異なる等によって他の箸と識別できるように作られている）を用意し、当該テーブルに係るテーブルＩＤ、当該座席に係る座席ＩＤ、及び当該箸に係る箸ＩＤをそれぞれ配膳支援装置１に対して入力する。これにより、配膳支援装置１の座席別配膳情報ＤＢ１３Ｂに座席別配膳情報が登録される。
【００７２】
図１１は、本発明の配膳支援装置１の入力部１４であるタッチパネル１４１に表示される座席別配膳情報の入力画面の一例を示す図である。図１１に示すように、座席別配膳情報の入力画面は、座席の位置を示す表示領域１４Ａと、箸の種別を示す表示領域１４Ｂとで構成されている。
【００７３】
飲食店側の担当者は、タッチペン８を用いて、所定の領域をタッチすることにより、座席と箸とを対応付ける。これにより、座席別配膳情報が生成され、配膳支援装置１の座席別配膳情報ＤＢ１３Ｂに登録される。
【００７４】
次に、利用者座席情報の登録について説明する。
【００７５】
宴会に出席する複数の利用者が入店した場合、当該宴会の幹事等によって、利用者座席情報が配膳支援装置１に入力される。
【００７６】
図１２は、本発明の配膳支援装置１の入力部１４であるタッチパネル１４１に表示される利用者座席情報の入力画面の一例を示す図である。図１２に示すように、利用者座席情報の入力画面は、座席の位置を示す表示領域１４Ｃと、出席者の一覧を示す表示領域１４Ｄとで構成されている。ここで、表示領域１４Ｄには、前述した出席者確定情報に示されている出席者の名前が表示されている。
【００７７】
宴会の幹事は、タッチペン８を用いて、所定の領域をタッチすることにより、出席者と座席とを対応付ける。これにより、利用者座席情報が生成される。
【００７８】
なお、このように幹事がマニュアルで入力するのではなく、例えば３次元センサを用いることによって自動的に各出席者の位置情報を取得して利用者座席情報を生成するようにしてもよい。
【００７９】
図１６は、利用者別識別情報を生成する場合における本発明の配膳支援装置１の動作の流れを示すフローチャートである。
【００８０】
配膳支援装置１は、前述したようにして生成された利用者座席情報の入力を受け付け（Ｓ１０１）、受け付けた利用者座席情報を利用者座席情報ＤＢ１３Ｃに登録することによって利用者座席情報ＤＢ１３Ｃを更新する（Ｓ１０２）。
【００８１】
次に、配膳支援装置１は、座席別配膳情報ＤＢ１３Ｂに記憶されている座席別配膳情報と利用者座席情報ＤＢ１３Ｃに記憶されている利用者座席情報とを用いて、利用者別識別情報を生成する（Ｓ１０３）。より具体的には、同一のテーブルＩＤ及び座席ＩＤを有する利用者座席情報及び利用者座席情報を検索し、検索された利用者座席情報と利用者座席情報とを用いて、利用者別識別情報を生成する。そして、配膳支援装置１は、その生成した利用者別識別情報を利用者別識別情報ＤＢ１３Ｄに登録することによって利用者別識別情報ＤＢ１３Ｄを更新する（Ｓ１０４）。
【００８２】
このようにして座席別配膳情報、利用者座席情報、及び利用者別識別情報が登録された後、宴会の出席者が料理の注文をした場合、その注文を受けた飲食店の給仕係によって、注文情報が配膳支援装置１に入力される。
【００８３】
図１３は、本発明の配膳支援装置１の入力部１４であるタッチパネル１４１に表示される注文情報の入力画面の一例を示す図である。図１３に示すように、注文情報の入力画面には、注文に係る利用者が利用するテーブルのテーブルＩＤが表示されるとともに、注文に係る料理を箸別に登録するための領域が表示される。この入力画面を用いて、給仕係は、出席者の注文に係る料理を当該出席者が利用する箸別に入力する。これにより、箸と料理とが対応付けられた注文情報が生成され、配膳支援装置１に入力される。このように箸と料理とが対応付けられることによって、後述するように、出席者が座席を移動した場合であっても当該出席者に対して配膳することが可能になる。
【００８４】
なお、この注文情報の入力の際に、注文情報の待ち番号フィールド１７３には配膳支援装置１によって自動的に割り振られた待ち番号が格納される。
【００８５】
図１７は、調理方法情報を生成する場合における本発明の配膳支援装置１の動作の流れを示すフローチャートである。
【００８６】
配膳支援装置１は、前述したようにして給仕係によって注文情報が入力された場合、その入力を受け付け（Ｓ２０１）、入力を受け付けた注文情報を注文情報ＤＢ１３Ｅに登録することによって注文情報ＤＢ１３Ｅを更新する（Ｓ２０２）。
【００８７】
次に、配膳支援装置１は、利用者情報ＤＢ１３Ａに格納されている利用者情報と、注文情報ＤＢ１３Ｅに格納されている注文情報と、利用者別識別情報ＤＢ１３Ｄに格納されている利用者別識別情報とを用いて、調理方法情報を生成する（Ｓ２０３）。より具体的には、同一の利用者ＩＤを有する利用者情報及び利用者別識別情報と、当該利用者別識別情報と同一のテーブルＩＤ及び箸ＩＤを有する注文情報とを用いて、調理方法情報を生成する。そして、配膳支援装置１は、その生成した調理方法情報を調理方法情報ＤＢ１３Ｆに登録することによって調理方法情報ＤＢ１３Ｆを更新する（Ｓ２０４）。
【００８８】
次に、配膳支援装置１は、ステップＳ２０３にて生成した調理方法情報を、調理台装置２に対して送信する（Ｓ２０５）。
【００８９】
なお、配膳支援装置１から調理方法情報を受信した調理台装置２は、その調理方法情報の料理ＩＤフィールド１８２に格納されている料理ＩＤに基づいて料理名称を特定することによって、皿別調理方法情報を生成する。
【００９０】
図１４は、本発明の配膳支援装置１が備える表示部１５に表示される調理方法情報の表示画面の一例を示す図である。図１４に示すように、調理方法情報の表示画面は、載置台ＩＤを表示するための表示領域１５Ａと、料理名称を表示するための表示領域１５Ｂと、嗜好情報を表示するための表示領域１５Ｃとから構成される。ここで、載置台ＩＤは配膳支援装置１によって自動的に割り当てられる。また、料理名称は、調理方法情報の料理ＩＤフィールド１８２に格納されている料理ＩＤに基づいて設定される。さらに、嗜好情報は、調理方法情報の嗜好フィールド１８３及び調理方法フィールド１８４に格納されている情報に基づいて設定される。
【００９１】
調理人は、図１４に示すような調理方法情報の表示画面を確認し、その表示されている情報にしたがって調理を開始するとともに、空の料理皿４を調理台装置２の所定の載置台２１に載置する。
【００９２】
図１８は、皿別調理方法情報をＩＣに書き込む場合における調理台装置２の動作の流れを示すフローチャートである。
【００９３】
前述したようにして載置台２１に空の料理皿４が載置された場合、調理台装置２は、その料理皿４の裏面に設けられたＩＣ４１に、前述したようにして生成された皿別調理方法情報を書き込む（Ｓ４０１）。
【００９４】
そして、調理台装置２は、当該皿別調理方法情報を皿別調理方法情報ＤＢ２３Ａに登録することによって皿別調理方法情報ＤＢ２３Ａを更新する（Ｓ４０２）。
【００９５】
次に、調理人による調理が終了し、出来上がった料理を宴会の出席者に配膳する場合について説明する。
【００９６】
図１９は、調理後における本発明の配膳支援装置１及び調理台装置２の動作の流れを示すフローチャートである。
【００９７】
調理人は調理を終了した場合、出来上がった料理を、所定の載置台ＩＤによって識別される載置台２１に載置されている料理皿４に盛り付ける。このようにして料理が盛り付けられた料理皿４は、給仕係によって載置台２１から離される。このとき、調理台装置２は、空きとなった当該載置台２１に係る載置台ＩＤを配膳支援装置１に対して送信する（Ｓ５０１）。
【００９８】
配膳支援装置１は、調理台装置２から載置台ＩＤを受信し（Ｓ６０１）、その受信した載置台ＩＤとともに、次に調理する注文に係る料理名称、当該注文に係る利用者の嗜好及び所望の調理方法を表示部１５に表示する（Ｓ６０２）。ここで、次に調理する注文を決定するために、調理方法情報ＤＢ１３Ｆに格納されている調理方法情報における待ち番号が用いられる。また、料理名称、嗜好、及び調理方法は、同じく調理方法情報から取得される。
【００９９】
このようにして、新たな情報が表示部１５に表示された場合、その新たな情報にしたがって調理人が調理を行うことになる。
【０１００】
図２０は、本発明の配膳支援システムを構成するトレイ３の動作の流れを示すフローチャートである。
【０１０１】
給仕係は、出来上がった料理が盛り付けられた料理皿４をトレイ３の載置台３２に載置する。このとき、トレイ３は、ＩＣリーダによって当該料理皿４の裏面に設けられたＩＣ４１から皿別調理方法情報を読み出す（Ｓ７０１）。
【０１０２】
次に、トレイ３は、読み出した皿別調理方法情報に基づいて、テーブルＩＤ、箸の種別、料理名称、嗜好、及び調理方法を表示部３１に表示する（Ｓ７０２）。
【０１０３】
図１５は、本発明のトレイ３が備える表示部３１に表示される皿別調理方法情報の表示画面の一例を示す図である。図１５に示すように、皿別調理方法情報の表示画面は、箸の種別を表示するための表示領域３１Ａと、テーブルＩＤを表示するための表示領域３１Ｂと、料理名称を表示するための表示領域３１Ｃと、嗜好情報を表示するための表示領域３１Ｄとから構成される。このように、箸の種別と料理名称とが対応付けられて表示されている。
【０１０４】
前述したとおり、トレイ３は載置台３２を複数備えており、載置台３２別に皿別調理方法情報が表示されるように構成されている。そのため、図１５に示すとおり、表示部３１には、載置台３２の数と同一数の皿別調理方法情報が表示される。
【０１０５】
給仕係は、表示領域３１Ｂに表示されているテーブルＩＤを参照してテーブルを特定するとともに、載置台３２に載せられている料理皿４に盛り付けられている料理と表示領域３１Ｃに表示されている料理名称とが一致しているかを確認する。そして、給仕係は、特定したテーブルまでトレイ３を運び、表示領域３１Ａに表示されている種別の箸を利用して飲食している出席者を特定する。その結果、特定された出席者に対して配膳する。
【０１０６】
このように、利用者が携行する箸を基準にして配膳を行うことによって、利用者が当初の座席を移動している場合であっても、間違えることなく配膳することができる。これにより、宴会の出席者は、自己の嗜好にあった料理を受け取ることができる。
【０１０７】
なお、本実施の形態では、箸の種別と料理名称とが対応付けられた情報をトレイ３の表示部３１に表示しているが、これ以外にも、例えば配膳支援装置１又は頂戴装置２がプリンタを備えており、そのプリンタによって当該対応付けられた情報が紙媒体に出力されるようにしてあってもよい。この場合、その出力された紙媒体を配膳係が参照することにより、同様の配膳を行うことができる。
【０１０８】
また、本実施の形態では、料理皿４は表示部を備えていないが、料理皿４が液晶ディスプレイ又はＬＥＤ等で構成される小型の表示部を備え、その表示部に箸ＩＤ等の携行物の識別情報が表示されるように構成されていてもよい。この場合、給仕係は容易に箸等の携行物を確認することができるので、よりスムースに配膳を行うことが可能となる。
【産業上の利用可能性】
【０１０９】
本発明に係る配膳支援方法、配膳支援システム及び配膳支援装置は、飲食店における各利用者に対してその利用者の嗜好にあった料理を確実に配膳することができるため、利用者が席を移動するような宴会において配膳を行う場合等に有用である。
【図面の簡単な説明】
【０１１０】
【図１】本発明の配膳支援システムの構成を示すブロック図である。
【図２】本発明の配膳支援システムが備える配膳支援装置の構成を示すブロック図である。
【図３】本発明の配膳支援システムが備える調理台装置の構成を示すブロック図である。
【図４】利用者情報ＤＢに記憶される利用者情報のフォーマットの一例を示す概念図である。
【図５】座席別配膳情報ＤＢに記憶される座席別配膳情報のフォーマットの一例を示す概念図である。
【図６】利用者座席情報ＤＢに記憶される利用者座席情報のフォーマットの一例を示す概念図である。
【図７】利用者別識別情報ＤＢに記憶される利用者別識別情報のフォーマットの一例を示す概念図である。
【図８】注文情報ＤＢに記憶される注文情報のフォーマットの一例を示す概念図である。
【図９】調理方法情報ＤＢに記憶される調理方法情報のフォーマットの一例を示す概念図である。
【図１０】皿別調理方法情報ＤＢに記憶される皿別調理方法情報のフォーマットの一例を示す概念図である。
【図１１】本発明の配膳支援装置の入力部であるタッチパネルに表示される座席別配膳情報の入力画面の一例を示す図である。
【図１２】本発明の配膳支援装置の入力部であるタッチパネルに表示される利用者座席情報の入力画面の一例を示す図である。
【図１３】本発明の配膳支援装置の入力部であるタッチパネルに表示される注文情報の入力画面の一例を示す図である。
【図１４】本発明の配膳支援装置が備える表示部に表示される調理方法情報の表示画面の一例を示す図である。
【図１５】本発明のトレイが備える表示部に表示される皿別調理方法情報の表示画面の一例を示す図である。
【図１６】利用者別識別情報を生成する場合における本発明の配膳支援装置の動作の流れを示すフローチャートである。
【図１７】調理方法情報を生成する場合における本発明の配膳支援装置の動作の流れを示すフローチャートである。
【図１８】皿別調理方法情報をＩＣに書き込む場合における調理台装置の動作の流れを示すフローチャートである。
【図１９】調理後における本発明の配膳支援装置及び調理台装置の動作の流れを示すフローチャートである。
【図２０】本発明の配膳支援システムを構成するトレイの動作の流れを示すフローチャートである。
【符号の説明】
【０１１１】
１      配膳支援装置
２      調理台装置
３      トレイ
４      料理皿
５      予約受付サーバ
６      クライアント
１１    ＣＰＵ
１２    メモリ
１３    ハードディスク
１３Ａ  利用者情報ＤＢ
１３Ｂ  座席別配膳情報ＤＢ
１３Ｃ  利用者座席情報ＤＢ
１３Ｄ  利用者別識別情報ＤＢ
１３Ｅ  注文情報ＤＢ
１３Ｆ  調理方法情報ＤＢ
１４    入力部
１５    表示部
１６    第１通信インタフェース
１７    第２通信インタフェース
２３Ａ  皿別調理方法情報ＤＢ
３１    表示部
３２    載置台
４１    ＩＣ
１００  インターネット
【図１】
2006235798.tif 000003
【図２】
2006235798.tif 000004
【図３】
2006235798.tif 000005
【図４】
2006235798.tif 000006
【図５】
2006235798.tif 000007
【図６】
2006235798.tif 000008
【図７】
2006235798.tif 000009
【図８】
2006235798.tif 000010
【図９】
2006235798.tif 000011
【図１０】
2006235798.tif 000012
【図１１】
2006235798.tif 000013
【図１２】
2006235798.tif 000014
【図１３】
2006235798.tif 000015
【図１４】
2006235798.tif 000016
【図１５】
2006235798.tif 000017
【図１６】
2006235798.tif 000018
【図１７】
2006235798.tif 000019
【図１８】
2006235798.tif 000020
【図１９】
2006235798.tif 000021
【図２０】
2006235798.tif 000022